(57)【要約】      （修正有）【課題】地震の主要動が到達する前に警告を視覚に伝えるうえで、遠方からの視認性を得るだけの十分な光量を有し、どの方角からも良好な視認性を継続して有するとともに、平常時には、景観に溶け込み、建物の美観を損ねず、人に対する威圧感がないカラーＬＥＤライトパネル式警報灯を提供する。【解決手段】警告灯は、両面発光することで、全天周に警告光を発し、壁面も発光体として利用する。広告用ライトパネルとしてのクリアフレームが透明である。回転灯のように突き出している部分が無いことで、警報灯を壊したり、怪我をしたりする可能性を低くする。大規模災害時に停電時や電源が断線した際にもバックアップ機能を付加すれば、光源が発光し続け数時間は機能する。無線操作信号を送信する遠隔操作手段を付加すれば、警報灯の発信が途切れることなく、緊急行動を促し続ける。【選択図】図１
2017151941.tif 000002
【特許請求の範囲】
【請求項１】
一方の平面にＬＥＤ用装着溝１を４辺につけた表面処理を施した透光性材料からなる薄型導光板ライトパネル２と、
このＬＥＤ用装着溝１により区別される薄型導光板ライトパネル２の内側平面部３及び外側クリアフレーム平面部４と、
薄型導光板ライトパネル２にポスター等のメディア５を挟んで被せる透明カバーパネル６と、
薄型導光板ライトパネル２に透明カバーパネル６を固定する固定具７と、
ＬＥＤ用装着溝１にて薄型導光板ライトパネル２の内側端面から内側に向くように配置された複数のＬＥＤ素子列８で構成される内側光源９と、
ＬＥＤ用装着溝１にて薄型導光板ライトパネル２の内側端面から外側に向くように配置された複数のカラーＬＥＤ素子列１０及び制御回路１１で構成される外側光源１２と、を具備し、
内側光源９により内側平面部３が面発光し、普段伝えたいメディア５が照らし出されることで視認性がよくなるとともに、さらに外側光源１２により外側クリアフレーム平面部４が透明で且つ両面発光することで、全天周に警報光を発し、反射によって広範囲に光らせることで天井、壁面若しくは床面をも発光体として利用することにより、大きな面積を照光するため、視認性がよい警報灯であって、緊急地震速報、火災報知器、非常用放送設備若しくは押しボタン等の外部装置との通信を基に、制御回路１１によりカラーＬＥＤ素子列１０の点灯色やその切替モード、点滅モード、点灯・消灯モード等の発光状態を制御することを特徴とする警報灯。
【請求項２】
薄型導光板ライトパネル２の内部または外部に付属された、１次電池又は２次電池式の電源ユニット１３をさらに備え、電源ユニット１３からの供給電源によって発光する請求項１記載の警報灯。
【請求項３】
薄型導光板ライトパネル２の内部または外部に付属された、蓄電池を内蔵した無停電蓄電回路を有する電源ユニット１４をさらに備え、停電・断線時でも数時間は電源ユニット１４の蓄電池からの供給電源によって発光する請求項１記載の警報灯。
【請求項４】
薄型導光板ライトパネル２の内部に付属された、無線操作信号を受信する受信部１５をさらに備え、前記受信部１５からの信号を通じ制御回路１１によりカラーＬＥＤ素子列１０の発光状態を制御するとともに、無線操作信号を送信する遠隔操作手段とからなる請求項１ないし３のいずれかに記載の警報灯。
【請求項５】
有線又は無線信号により制御回路１１を通じて停電時に発光することで非常用照明器具になる機能付加した請求項１ないし４のいずれかに記載の警報灯。
【請求項６】
有線又は無線信号により制御回路１１を通じて音声信号を音に変換して拡声するスピーカーを付加した請求項１ないし４のいずれかに記載の警報灯。
【請求項７】
有線又は無線信号により制御回路１１を通じて外部にデータを送信するためのカメラやマイクを付加した請求項１ないし４のいずれかに記載の警報灯。
【発明の詳細な説明】
【技術分野】
【０００１】  本発明は、警報灯、特に緊急防災速報、例えば、地震の初期微動で気象庁が観測した地震発生の情報を地震通報システムを通じて地震の主要動が到達する前に警報を視覚に伝えることで、可能な限り多くの人に危険を知らせることのできる警報灯、乃至は意匠メディアを引き立てるための装飾灯に関する。
【背景技術】
【０００２】  警報灯として従来、電極配線を埋設した樹脂基板と、端子をこの樹脂基板の電極に接続されたＬＥＤと、樹脂基板に取り付けられ、ＬＥＤの発光方向に乱反射用凹凸面を形成した透明樹脂からなるカバー体と、樹脂基板とカバー体との間において、ＬＥＤの頭部を露出させるとともに上記乱反射用凹凸面に集光するよう取り付けた反射部とを有したものが知られている。（特許文献１）【０００３】  警報灯の照射方向と直交の方向に向けられたＬＥＤと、そのＬＥＤからの光を前方に反射させる反射鏡が回動中心軸線の周りを回転可能に支持され、反射鏡はＬＥＤから主に前方に向かう光を扱う第１反射鏡と、主に後方に向かう光を扱う第２反射鏡より構成される反射構造を採用することで、点光源を看者に大きく見せることができ、視認性の向上に貢献できる回転灯が知られている。（特許文献２）【０００４】  地震データ解析装置が算出した予測情報に基づいて緊急地震速報送受信機から制御信号を受信すると動作する回転灯警報器が知られている（特許文献３）
【先行技術文献】
【特許文献】
【０００５】
【特許文献１】実開平８−００００１１１１号公報
【特許文献２】特開２００７−２９４２７１
【特許文献３】特開２００９−２５４４２２
【非特許文献】
【０００６】
【非特許文献１】
【発明の概要】
【発明が解決しようとする課題】
【０００７】  上記文献の警報灯は、景観重視や圧迫感という利用者の要望により小型化されてはいるものの、遠方からの視認性を得るだけの十分な光量を有するものではなく、或いは、どの方角からも良好な視認性を継続して有するものとは言えず、非常時に機能を充分に発揮できるとは言えなかった。また、平常時においては、景観重視の要望から警報灯の露出により逆に不安をあおることなく景観に溶け込み、建物の美観を損ねず、人に対する威圧感がないようにするには、従来の回転灯では不向きであった。さらに、普段の広告用ライトパネルが緊急時に警報機能を有するものは存在していなかった。【０００８】  本発明は、以上のような従来の課題に鑑み、
緊急防災速報、例えば、地震の初期微動で気象庁が観測した地震発生の情報を地震通報システムを通じて地震の主要動が到達する前に警報を視覚に伝えるうえで、光量の不足や視認性の確保の問題に対応し、遠方からの視認性を得るだけの十分な光量を有し、また、どの方角からも良好な視認性を継続して有するとともに、一方で平常時においては、景観重視の要望から警報灯の露出で逆に不安をあおることなく、広告用ライトパネルとしての透明なクリアフレームにより景観に溶け込み、建物の美観を損ねず、人に対する威圧感がない警報灯及びその本体ユニットを提供することを課題とする。
【課題を解決するための手段】
【０００９】  上記目的を達成するために、一方の平面にＬＥＤ用装着溝１を４辺につけた表面処理を施した透光性材料からなる薄型導光板ライトパネル２と、このＬＥＤ用装着溝１により区別される薄型導光板ライトパネル２の内側平面部３及び外側クリアフレーム平面部４と、薄型導光板ライトパネル２にポスター等のメディア５を挟んで被せる透明カバーパネル６と、薄型導光板ライトパネル２に透明カバーパネル６を固定する固定具７と、ＬＥＤ用装着溝１にて薄型導光板ライトパネル２の内側端面から内側に向くように配置された複数のＬＥＤ素子列８で構成される内側光源９と、ＬＥＤ用装着溝１にて薄型導光板ライトパネル２の内側端面から外側に向くように配置された複数のカラーＬＥＤ素子列１０及び制御回路１１で構成される外側光源１２と、を具備し、光源９により内側平面部３が面発光し、普段伝えたいメディア５が照らし出されることで視認性がよくなるとともに、さらに外側光源１２により外側クリアフレーム平面部４が透明で且つ両面発光することで、全天周に警報光を発し、反射によって広範囲に光らせることで天井、壁面若しくは床面をも発光体として利用することにより、大きな面積を照光するため、視認性がよい警報灯であって、緊急地震速報、火災報知器、非常用放送設備若しくは押しボタン等の外部装置との通信を基に、制御回路１１によりカラーＬＥＤ素子列１０の点灯色やその切替モード、点滅モード、点灯・消灯モード等の発光状態を制御することを特徴とする。
上記のものであれば、両面発光することで、全方位からも遠方視認性の良い発光をさせることができ、警報効果の高い警報灯となる。また、警報光を発する必要のない平常時においては、広告用ライトパネルとしてのクリアフレームが透明であるため、景観重視の要望から警報灯の露出により逆に不安をあおることなく景観に溶け込み、建物の美観を損ねず、人に対する威圧感がなく、回転灯のように突き出している部分が無いため、万が一の接触事故により、警報灯を壊したり、逆に怪我をしたりする可能性が極端に低くなるので、安全性も一段と向上させることができる。【００１０】  薄型導光板ライトパネル２の内部または外部に付属された、１次電池又は２次電池式の電源ユニット１３をさらに備え、電源ユニット１３からの供給電源によって発光するものでもよい。【００１１】  薄型導光板ライトパネル２の内部または外部に付属された、蓄電池を内蔵した無停電蓄電回路を有する電源ユニット１４をさらに備え、停電・断線時でも数時間は電源ユニット１４の蓄電池からの供給電源によって発光するものでもよい。【００１２】  前記いずれか記載の警報灯において、遠隔操作手段による発光制御手段を備えたものでもよい。すなわち、薄型導光板ライトパネル２の内部に付属された、無線操作信号を受信する受信部１５をさらに備え、前記受信部１５からの信号を通じ制御回路１１によりカラーＬＥＤ素子列１０の発光状態を制御するとともに、無線操作信号を送信する遠隔操作手段が可能となり、有線であるが故に断線するようなトラブルが発生しないので、警報灯の発信が途切れることなく、緊急行動を促し続けることができる。
【発明の効果】
【００１３】  本発明によれば、面発光することで、全方位からも遠方視認性の良い発光をさせることができ、警報効果の高い警報灯となる。また、警報光を発する必要のない平常時においては、広告用ライトパネルとしてのクリアフレームが透明であるため、景観重視の要望から警報灯の露出により逆に不安をあおることなく景観に溶け込み、建物の美観を損ねず、人に対する威圧感がなく、回転灯のように突き出している部分が無いため、万が一の接触事故により、警報灯を壊したり、逆に怪我をしたりする可能性が極端に低くなるので、安全性も一段と向上させることができる。さらに、大規模災害時に停電時や電源が断線した際にもバックアップ機能を付加すれば、これにより光源が発光し続け数時間は機能するので、暗所で衝突して怪我をしたり逃げ遅れたりすることが少なくなる。さらに、無線操作信号を送信する遠隔操作手段を付加すれば、有線であるが故に断線するようなトラブルが発生しないので、警報灯の発信が途切れることなく、緊急行動を促し続けることができるので、パニックに陥ることなく落ち着いて安全かつ短時間で避難することができるという利点がある。さらに、有線又は無線信号により制御回路を通じて停電時に発光することで非常用照明器具になる機能を付加することも可能である。さらに、有線又は無線信号により制御回路を通じて音声信号を音に変換して拡声するスピーカーを付加することも可能である。さらに有線又は無線信号により制御回路を通じて外部にデータを送信するためのカメラやマイクを付加することも可能である。
【図面の簡単な説明】
【００１４】
【図１】  本発明のカラーＬＥＤライトパネル式警報灯の正面図である。
【図２】  本発明のカラーＬＥＤライトパネル式警報灯の側面図である。
【図３】  本発明のカラーＬＥＤライトパネル式警報灯の裏面図である。
【発明を実施するための形態】
【００１５】  本発明に係るカラーＬＥＤライトパネル式警報灯は、緊急防災速報、例えば、地震の初期微動で気象庁が観測した地震発生の情報を地震通報システムを通じて地震の主要動が到達する前に警告を視覚に伝えるうえで、光量の不足や視認性の確保の問題に対応し、遠方からの視認性を得るだけの十分な光量を有し、また、どの方角からも良好な視認性を継続して有するとともに、一方で平常時においては、広告用ライトパネルとしてのクリアフレームが透明であるため、景観重視の要望から警告灯の露出により逆に不安をあおることなく景観に溶け込み、建物の美観を損ねず、人に対する威圧感がない警報灯及びその本体ユニットを実現した。
【実施例１】
【００１６】  図１は本発明のカラーＬＥＤライトパネル式警報灯の正面図である。一方の平面にＬＥＤ用装着溝１を４辺につけた表面処理を施した透光性材料からなる薄型導光板ライトパネル２と、このＬＥＤ用装着溝１により区別される薄型導光板ライトパネル２の内側平面部３及び外側クリアフレーム平面部４と、薄型導光板ライトパネル２にポスター等のメディア５を挟んで被せる透明カバーパネル６と、薄型導光板ライトパネル２に透明カバーパネル６を固定する固定具７と、ＬＥＤ用装着溝１にて薄型導光板ライトパネル２の内側端面から内側に向くように配置された複数のＬＥＤ素子列８で構成される内側光源９と、ＬＥＤ用装着溝１にて薄型導光板ライトパネル２の内側端面から外側に向くように配置された複数のカラーＬＥＤ素子列１０及び制御回路１１で構成される外側光源１２と、を具備し、内側光源９により内側平面部３が面発光し、普段伝えたいメディア５が照らし出されることで視認性がよくなるとともに、さらに外側光源１２により外側クリアフレーム平面部４が透明で且つ両面発光することで、全天周に警報光を発し、反射によって広範囲に光らせることで天井、壁面若しくは床面をも発光体として利用することにより、大きな面積を照光するため、視認性がよい警報灯であって、緊急地震速報、火災報知器、非常用放送設備若しくは押しボタン等の外部装置との通信を基に、制御回路１１によりカラーＬＥＤ素子列１０の点灯色やその切替モード、点滅モード、点灯・消灯モード等の発光状態を制御することを特徴とする。
上記のものであれば、両面発光することで、全方位からも遠方視認性の良い発光をさせることができ、警報効果の高い警報灯となる。また、警報光を発する必要のない平常時においては、広告用ライトパネルとしてのクリアフレームが透明であるため、景観重視の要望から警報灯の露出により逆に不安をあおることなく景観に溶け込み、建物の美観を損ねず、人に対する威圧感がなく、回転灯のように突き出している部分が無いため、万が一の接触事故により、警報灯を壊したり、逆に怪我をしたりする可能性が極端に低くなるので、安全性も一段と向上させることができる。【００１７】  図２は本発明のカラーＬＥＤライトパネル式警報灯の側面図である。【００１８】  図３は本発明のカラーＬＥＤライトパネル式警報灯の裏面図である。薄型導光板ライトパネル２の内部または外部に付属された、１次電池又は２次電池式の電源ユニット１３をさらに備え、電源ユニット１３からの供給電源によって発光するものでもよい。薄型導光板ライトパネル２の内部または外部に付属された、蓄電池を内蔵した無停電蓄電回路を有する電源ユニット１４をさらに備え、停電・断線時でも数時間は電源ユニット１４の蓄電池からの供給電源によって発光するものでもよい。前記いずれか記載の警報灯において、遠隔操作手段による発光制御手段を備えたものでもよい。すなわち、薄型導光板ライトパネル２の内部に付属された、無線操作信号を受信する受信部１５をさらに備え、前記受信部１５からの信号を通じ制御回路１１によりカラーＬＥＤ素子列１０の発光状態を制御するとともに、無線操作信号を送信する遠隔操作手段が可能となり、有線であるが故に断線するようなトラブルが発生しないので、警報灯の発信が途切れることなく、緊急行動を促し続けることができる。
【産業上の利用可能性】
【００１９】  本発明は、警報灯、特に緊急防災速報、例えば、地震の初期微動で気象庁が観測した地震発生の情報を地震通報システムを通じて地震の主要動が到達する前に警報を視覚に伝えることで、可能な限り多くの人に危険を知らせることのできる警報灯に関する。
【符号の説明】
【００２０】  １    ＬＥＤ用装着溝
２    薄型導光板ライトパネル
３    内側平面部
４    外側クリアフレーム平面部
５    メディア
６    透明カバーパネル
７    固定具
８    ＬＥＤ素子列
９    内側光源
１０  カラーＬＥＤ素子列
１１  制御回路
１２  外側光源
１３  １次電池又は２次電池式の電源ユニット
１４  蓄電池を内蔵した無停電蓄電回路を有する電源ユニット
１５  無線操作信号を受信する受信部
【図１】
2017151941.tif 000003
【図２】
2017151941.tif 000004
【図３】
2017151941.tif 000005